(57)【要約】  本発明は、容器本体を把持し、容器本体からキャップを外して塗布具を取り出し、化粧を行い、再びキャップを容器本体に係合して開口部を閉鎖する工程において、使用者が効果的かつ快適に使用できる化粧品容器を提供するものである。本発明の化粧品容器は、容器本体５０の第一の端部と着脱自在に係合し、化粧品を塗布するための塗布具を備える第一キャップ１０と、容器本体の第二の端部と着脱自在に係合する第二キャップ１００と、を有し、容器本体５０の第二の端部近傍には、化粧の仕上げをするための仕上げ具が配置され、第一キャップ１０の直径は、容器本体５０との接続部分から第一キャップの閉塞端部に向かって拡径し、接続部分と閉塞端部の間の位置において、最大の直径を有するように形成されており、第二キャップ１００の直径は、容器本体５０との接続部分から第二キャップ１００の閉塞端部に向かって拡径し、接続部分と閉塞端部の間の位置において、最大の直径を有するように形成されている。
2017179084.tif 000002
【特許請求の範囲】
【請求項１】
化粧品容器であって、
化粧品を格納する略円筒形状の容器本体と、
前記容器本体の第一の端部と着脱自在に係合し、化粧品を塗布するための塗布具を備える第一キャップと、
前記容器本体の第二の端部と着脱自在に係合する第二キャップと、
を有し、
前記容器本体の前記第二の端部近傍には、化粧の仕上げをするための仕上げ具が配置され、
前記第一キャップの直径は、前記容器本体との接続部分から前記第一キャップの閉塞端部に向かって拡径し、前記接続部分と前記閉塞端部の間の位置において、最大の直径を有するように形成されており、
前記第二キャップの直径は、前記容器本体との接続部分から前記第二キャップの閉塞端部に向かって拡径し、前記接続部分と前記閉塞端部の間の位置において、最大の直径を有するように形成されている、
化粧品容器。
【請求項２】
前記第一キャップの長さＬ４の前記化粧品容器の長さＬ１に対する比率α１（Ｌ４／Ｌ１）は、０．２以上０．３以下であり、
前記第二キャップの長さＬ２の前記化粧品容器の長さＬ１に対する比率α２（Ｌ２／Ｌ１）は、０．２以上０．３以下であり、
前記容器本体の長さＬ３の前記化粧品容器の長さＬ１に対する比率α３（Ｌ３／Ｌ１）は、０．４以上０．６以下である、
請求項１に記載の化粧品容器。
【請求項３】
前記第二キャップにおける最大直径を直径φ１、前記第一キャップにおける最大直径を直径φ２、前記容器本体と前記第一キャップの接続部における直径を直径φ３、前記容器本体と前記第二キャップの接続部における直径を直径φ４とすると、
前記直径φ２の前記直径φ１に対する比率β１（φ２／φ１）は、０．６０以上０．７５以下であり、
前記直径φ３の前記直径φ１に対する比率β２（φ３／φ１）は、０．５５以上０．７０以下であり、
前記直径φ４の前記直径φ１に対する比率β３（φ４／φ１）は、０．６５以上０．８５以下であり、
前記直径φ３の前記直径φ２に対する比率β４（φ３／φ２）は、０．８５以上０．９７以下である、
請求項１又は請求項２のいずれかに記載の化粧品容器。
【発明の詳細な説明】
【技術分野】
【０００１】
本発明は塗布具付きの化粧品容器に関する。
【背景技術】
【０００２】
塗布具付きの化粧品容器は、ファンデーションなどの化粧品を格納する容器本体と、容器本体の開口部を閉じるキャップ部が主な構成である。キャップ部にブラシなどの塗布具が配置されている。このような化粧品容器にとって、使用者が効果的かつ快適に操作して、化粧品を取り出すことができることが重要である。【０００３】
例えば特許文献１において、塗布具を容器本体内に出し入れするときにおける、化粧料の飛散を防止する化粧品容器が提案されている。
【先行技術文献】
【特許文献】
【０００４】
【特許文献１】特許第５０６９０４７号公報
【発明の概要】
【発明が解決しようとする課題】
【０００５】
ところで、使用者が化粧品容器を使用するときには、容器本体を把持し（ステップ１）、容器本体からキャップを外して塗布具を取り出し（ステップ２）、化粧を行い（ステップ３）、再びキャップを容器本体に嵌める（ステップ４）動作が必要である。上述の技術は、ステップ２において適量の化粧料を塗布具に付着させることによって、化粧料の飛散防止を試みるものであるが、容器本体からキャップを外す際の使用者の使い勝手は考慮されていない。【０００６】
本発明は、上記を踏まえて、容器本体を把持し、容器本体からキャップを外して塗布具を取り出し、化粧を行い、再びキャップを容器本体に嵌める工程において、使用者が効果的かつ快適に使用できる化粧品容器を提供するものである。
【課題を解決するための手段】
【０００７】
第一の発明は、化粧品容器であって、化粧品を格納する略円筒形状の容器本体と、前記容器本体の第一の端部と着脱自在に係合し、化粧品を塗布するための塗布具を備える第一キャップと、前記容器本体の第二の端部と着脱自在に係合する第二キャップと、を有し、前記容器本体の前記第二の端部近傍には、化粧の仕上げをするための仕上げ具が配置され、前記第一キャップの直径は、前記容器本体との接続部分から前記第一キャップの閉塞端部に向かって拡径し、前記接続部分と前記閉塞端部の間の位置において、最大の直径を有するように形成されており、前記第二キャップの直径は、前記容器本体との接続部分から前記第二キャップの閉塞端部に向かって拡径し、前記接続部分と前記閉塞端部の間の位置において、最大の直径を有するように形成されている、化粧品容器である。【０００８】
本発明の発明者は、化粧を行う際に、化粧品の塗布と仕上げの二段階があることに着目し、化粧品容器に塗布具と仕上げ具を備える構造に想到した。そのうえで、塗布具と仕上げ具とを容器本体とから取り出すときの人間の手の構造を研究し、試行錯誤の結果、第一の発明の構成によれば、容器本体を把持し、容器本体からキャップを外して塗布具を取り出し、化粧を行い、再びキャップを容器本体に嵌める工程において、使用者が効果的かつ快適に使用できることを見出した。  【０００９】
第二の発明は、第一の発明の構成において、前記第一キャップの長さＬ４の前記容器本体の長さＬ１に対する比率α１（Ｌ４／Ｌ１）は、０．２以上０．３以下であり、
前記第二キャップの長さＬ２の前記容器本体の長さＬ１に対する比率α２（Ｌ２／Ｌ１）は、０．２以上０．３以下であり、前記容器本体の長さＬ３の前記容器本体の長さＬ１に対する比率α３（Ｌ３／Ｌ１）は、０．４以上０．６以下であり、長さＬ４と長さＬ２を合わせた長さ（Ｌ４＋Ｌ２）は、長さＬ３以上である化粧品容器である。【００１０】
本発明の発明者は、人間の手の指の長さとの関係で、長さＬ１、Ｌ２、Ｌ３及びＬ４が、上記の関係にあるときに、使用者が効果的に、第一キャップ及び第二キャップの着脱操作をすることができることを見出した。【００１１】
第三の発明は、第一の発明又は第二の発明のいずれかの構成において、前記第二キャップにおける最大直径を直径φ１、前記第一キャップにおける最大直径を直径φ２、前記容器本体と前記第一キャップの接続部における直径を直径φ３、前記容器本体と前記第二キャップの接続部における直径を直径φ４とすると、前記直径φ２の前記直径φ１に対する比率β１（φ２／φ１）は、０．６０以上０．７５以下であり、前記直径φ３の前記直径φ１に対する比率β２（φ３／φ１）は、０．５５以上０．７０以下であり、前記直径φ４の前記直径φ１に対する比率β３（φ４／φ１）は、０．６５以上０．８５以下であり、前記直径φ３の前記直径φ２に対する比率β４（φ３／φ２）は、０．８５以上０．９７以下である、化粧品容器である。【００１２】
本発明の発明者は、人間の手及び指の構造との関係で、直径φ１、φ２、φ３及びφ４が、上記の関係にあるときに、使用者が、一層効果的に、第一キャップ及び第二キャップの着脱操作をすることができることを見出した。
【発明の効果】
【００１３】
本発明にかかる化粧品容器によれば、容器本体を把持し、容器本体からキャップを外して塗布具を取り出し、化粧を行い、再びキャップを容器本体に嵌める工程において、使用者が効果的かつ快適に使用できる。
【図面の簡単な説明】
【００１４】
【図１】本発明の一実施形態にかかる化粧品容器の概略全体図である。
【図２】化粧品容器を示す平面図である。
【図３】化粧品容器を示す底面図である。
【図４】化粧品容器の分解図である。
【図５】化粧品容器を示す全体図である。
【図６】化粧品容器の使用方法の一例を示す図である。
【図７】化粧品容器から塗布具を取り出した状態を示す図である。
【図８】化粧品容器の使用方法の一例を示す図である。
【図９】化粧品容器から仕上げ具を取り出した状態を示す図である。
【図１０】仕上げ具を使用可能状態にした状態を示す図である。
【図１１】レフィル部を分離した状態を示す概略図である。
【発明を実施するための形態】
【００１５】
以下、図面に基づき本発明の好適な実施形態を説明する。
【００１６】
図１、図２、図３、図４及び図５に示すように、化粧品容器１（以下、「容器１」という。）の全体形状は、両端近傍の直径が中央部の直径よりも大きい略円柱形状である。そして、一方の端部近傍の最大直径が、他方の端部近傍の最大直径よりも大きい。容器１は、液体ファンデーションなどの化粧品を格納する略円筒形状の容器本体５０と、第一キャップ１０及び第二キャップ１００とで構成される。
【００１７】
図４に示すように、第一キャップ１０は、キャップ本体１２、軸部１４及び塗布具１６で構成される。キャップ本体１２の開口端部近傍には螺子（図示せず）が形成されており、容器本体５０の第一の端部５４ａ（図４参照）に形成された螺子部５２と螺合し、着脱自在に係合するようになっている。第一キャップ１０の閉塞端部１０ｂ（図５参照）近傍は、略半球状に形成されている。
【００１８】
第二キャップ１００の開口端部近傍内側には容器本体の凸部５６ａ（図４参照）と係合する環状凹部（図示せず）が形成されており、容器本体５０と着脱自在に係合するようになっている。第二キャップ１００の閉塞端部１００ｂ（図５参照）近傍は、略半球状に形成されている。
【００１９】
図４に示すように、容器本体５０は、螺子部５２、胴体部５４、仕上げ具部５６で構成される。螺子部５２は、胴体部５４の一方の端部５４ａに形成されている。螺子部５２の端部は開口しており、第一キャップ１０の軸部１４及び塗布具１６を胴体部５４に格納できるようになっている。仕上げ具部５６は、基部５６ｂ、基部５６を取り巻くよう環状に形成された凸部５６ａ、上下方向（図４の矢印Ｘ方向）に摺動するシリンダ５６ｃ、及び、仕上げ具の一例としてのブラシ５６ｄで構成される。ブラシ５６ｄは、複数の毛で構成されている。
【００２０】
第一キャップ１０の長さＬ４の容器１の長さＬ１に対する比率α１（Ｌ４／Ｌ１）は、０．２以上０．３以下である。第二キャップ１００の長さＬ２の容器１の長さＬ１に対する比率α２（Ｌ２／Ｌ１）は、０．２以上０．３以下である。容器本体５０の長さＬ３の容器１の長さＬ１に対する比率α３（Ｌ３／Ｌ１）は、０．４以上０．６以下である。そして、長さＬ４と長さＬ２を合わせた長さ（Ｌ４＋Ｌ２）は、長さＬ３以上である。本実施形態において、Ｌ１は１３１ｍｍ（ミリメートル）、Ｌ２は３６ｍｍ、Ｌ３は６１ｍｍ、Ｌ４は３４ｍｍである。比率α１（Ｌ４／Ｌ１）は０．２６、比率α２（Ｌ２／Ｌ１）は０．２７、比率α３（Ｌ３／Ｌ１）は０．４７である。
【００２１】
図５に示すように、第一キャップ１０の直径は、容器本体５０との接続部分４０から第一キャップ１０の閉塞端部１０ｂに向かって拡径し、接続部分４０と閉塞端部１０ｂの間の位置１０ａにおいて、最大の直径φ２となるように形成されている。
【００２２】
第二キャップ１００の直径は、容器本体５０との接続部分６０から第二キャップ１００の閉塞端部１００ｂに向かって拡径し、接続部分６０と閉塞端部１００ｂの間の位置１００ａにおいて、最大の直径φ１となるように形成されている。直径φ１は、容器１全体における最大直径でもある。
【００２３】
容器本体５０と第一キャップ１０の接続部４０における直径を直径φ３、容器本体５０と第二キャップ１００の接続部６０における直径を直径φ４とする。直径φ２の直径φ１に対する比率β１（φ２／φ１）は、０．６０以上０．７５以下であり、より望まくは、
０．６５以上０．７０以下である。直径φ３の直径φ１に対する比率β２（φ３／φ１）は、０．５５以上０．７０以下であり、より望ましくは、０．５７以上０．６５以下である。直径φ４の直径φ１に対する比率β３（φ４／φ１）は、０．６５以上０．８５以下であり、より望ましくは、０．６５以上０．８５以下である。直径φ３の直径φ２に対する比率β４（φ３／φ２）は、０．８５以上０．９７以下であり、より望ましくは、０．８７以上０．９５以下である。本実施形態において、直径φ１は２２ｍｍ（ミリメートル）、直径φ２は１５ｍｍ、直径φ３は１４ｍｍ、直径φ４は１５ｍｍである。比率β１は０．６８、比率β２は０．６３、比率β３は０．６８、比率β４は０．９３である。
【００２４】
本発明の発明者は、ファンデーションを使用した化粧は、ファンデーションの塗布をする工程と、仕上げをする工程でなることに着目し、塗布と仕上げの双方を効果的に行うことができる化粧品容器の構造を研究し、上述の構造が好適であることを見出した。このことを図６、図７、図８及び図９を参照して説明する。
【００２５】
第一キャップ１０を容器本体５０から外して、ファンデーションが付された塗布具を取り出すときには、例えば、図６に示すように、左手２０２の親指と人差し指で接続部６０近傍を把持し、右手２０４の親指と人差し指で第一キャップ１０を把持し、第一キャップ１０と容器本体５０を相対的に回転させる。これにより、キャップ１０と容器本体５０の螺合が解除され、図７に示すように、塗布具１６が使用可能な状態になる。
【００２６】
第二キャップ１００を容器本体５０から外して、容器本体５０に配置されたブラシ５６ｄを露出させるときには、例えば、図８に示すように、左手２０２の親指と人差し指で第二キャップ１００を把持し、右手２０４の親指と人差し指で接続部４０の近傍を把持し、第二キャップ１００を容器本体５０から引き抜く。これにより、第二キャップ１００と容器本体５０の係合が解除され、図９に示すように、ブラシ５６ｄが露出する。そして、シリンダ５６ｃを矢印Ｘ１方向に押し下げると、図１０に示すように、ブラシ５６ｄが使用可能な状態になる。シリンダ５６ｃは、キャップ１００を本体５０に係合させるときに、複数の毛で構成されるブラシ５６ｄの毛をまとめるための構成であり、ブラシ５６ｄを傷つけることなく、キャップ１００を本体５０に係合させる機能を有する。
【００２７】
本発明の発明者は、人間工学の観点で、人間の手の自然な状態は、平坦な状態ではなく、手の平の方向を中心とする略半球状になっていることに着目し、そのような手の構造に適合する容器１の構造を研究した。本発明の発明者は、自然な状態において、親指と人差し指の間に形成される空間の形状が、指先方向に向かって縮径する略円錐形状であることに着目し、容器１が上述の構造であるときに、人間の手の自然な状態において、効果的かつ快適に、容器１から第一キャップ１０や第二キャップ１００を取り外したり、取り付けたりすることができることを見出した。第二キャップ１００の最大直径φ１と接続部６０における直径φ４が、上述の数値範囲であることによって、左手２０２の親指と人差し指が自然な状態に近い状態において、第二キャップ１００の曲面にひっかかり、第二キャップ１００を把持することができる。第一キャップ１０と右手との関係についても、ほぼ同様である。第二キャップ１００が閉塞端部１００ｂから接続部６０方向に縮径するのと同様に、親指と人差し指とで自然に形成される空間も縮径していくから、使用者の指は、手の形状について特段の意識を要することなく、第二キャップ１００にひっかかり、第二キャップ１００を把持することができる。比率β４（φ３／φ２）は比率β３（φ４／φ１）よりも大きく、直径φ２は直径φ１よりも小さい。これは、第二キャップ１００を容器本体５０から外すときには、容器本体５０に配置されたブラシ５６ｄが露出するだけであるのに対して、第一キャップ１０を容器本体５０から外すと、ファンデーションが付着した塗布具１６が取り出さるから、使用者により慎重な動作を要求するような構造にするのが好ましいという着眼による。すなわち、塗布具１６を取り出すときには、ブラシ５６ｄを露出させるときよりも、慎重な操作が要求されるのであるが、比率β４（φ３／φ２）が比率β３（φ４／φ１）よりも大きく、直径φ２が直径φ１よりも小さいことによって、使用者をして、塗布具１６を取り出すときに、自然に神経を集中させ、慎重に動作させるようになっている。
【００２８】
図１１に示すように、容器本体５０の胴体部５４と塗布具部５６は分離する。すなわち、胴体部５４の端部に形成された螺子部５４ａと塗布具部５６側に形成された螺子（図示せず）が螺合し、着脱可能になっている。なお、胴体部５４において、螺子部５４ａが形成された端部は閉塞端部である。そして、胴体部５４と第一キャップ１０は、胴体部５４に格納されたファンデーションが消費尽くされた時には、交換可能になっている。すなわち、使用者は、ファンデーションを消費尽くした場合に、容器１全体を新たに購入する必要はなく、胴体部５４と第一キャップ１０で構成されるレフィル部材を購入すれば足りる。
【００２９】
なお、本発明の化粧品容器は、上記実施形態に限らず、本発明の要旨を逸脱しない範囲内において種々変更を加えることができる。
【符号の説明】
【００３０】
１    化粧品容器
１０  第一キャップ
１２  キャップ本体
１４  軸部
１６  塗布具
５０  容器本体
５２  螺子部
５４  胴体部
５６  仕上げ具部
１００  第二キャップ
【図１】
2017179084.tif 000003
【図２】
2017179084.tif 000004
【図３】
2017179084.tif 000005
【図４】
2017179084.tif 000006
【図５】
2017179084.tif 000007
【図６】
2017179084.tif 000008
【図７】
2017179084.tif 000009
【図８】
2017179084.tif 000010
【図９】
2017179084.tif 000011
【図１０】
2017179084.tif 000012
【図１１】
2017179084.tif 000013
【手続補正書】
【提出日】平成28年10月12日(2016.10.12)
【手続補正１】
【補正対象書類名】明細書
【補正対象項目名】全文
【補正方法】変更
【補正の内容】
【発明の詳細な説明】
【技術分野】
【０００１】
本発明は塗布具付きの化粧品容器に関する。
【背景技術】
【０００２】
塗布具付きの化粧品容器は、ファンデーションなどの化粧品を格納する容器本体と、容器本体の開口部を閉じるキャップ部が主な構成である。キャップ部にブラシなどの塗布具が配置されている。このような化粧品容器にとって、使用者が効果的かつ快適に操作して、化粧品を取り出すことができることが重要である。
【０００３】
例えば特許文献１において、塗布具を容器本体内に出し入れするときにおける、化粧料の飛散を防止する化粧品容器が提案されている。
【先行技術文献】
【特許文献】
【０００４】
【特許文献１】特許第５０６９０４７号公報
【発明の概要】
【発明が解決しようとする課題】
【０００５】
ところで、使用者が化粧品容器を使用するときには、容器本体を把持し（ステップ１）、容器本体からキャップを外して塗布具を取り出し（ステップ２）、化粧を行い（ステップ３）、再びキャップを容器本体に嵌める（ステップ４）動作が必要である。
【０００６】
上述の技術は、ステップ２において適量の化粧料を塗布具に付着させることによって、化粧料の飛散防止を試みるものであるが、容器本体からキャップを外す際の使用者の使い勝手は考慮されていない。
【０００７】
本発明は、上記を踏まえて、容器本体を把持し、容器本体からキャップを外して塗布具を取り出し、化粧を行い、再びキャップを容器本体に嵌める工程において、使用者が効果的かつ快適に使用できる化粧品容器を提供するものである。
【課題を解決するための手段】
【０００８】
第一の発明は、化粧品容器であって、化粧品を格納する略円筒形状の容器本体と、前記容器本体の第一の端部と着脱自在に係合し、化粧品を塗布するための塗布具を備える第一キャップと、前記容器本体の第二の端部と着脱自在に係合する第二キャップと、を有し、前記容器本体の前記第二の端部近傍には、化粧の仕上げをするための仕上げ具が配置され、前記第一キャップの直径は、前記容器本体との接続部分から前記第一キャップの閉塞端部に向かって拡径し、前記接続部分と前記閉塞端部の間の位置において、最大の直径を有するように形成されており、前記第二キャップの直径は、前記容器本体との接続部分から前記第二キャップの閉塞端部に向かって拡径し、前記接続部分と前記閉塞端部の間の位置において、最大の直径を有するように形成されている、化粧品容器である。
【０００９】
本発明の発明者は、化粧を行う際に、化粧品の塗布と仕上げの二段階があることに着目し、化粧品容器に塗布具と仕上げ具を備える構造に想到した。そのうえで、塗布具と仕上げ具とを容器本体とから取り出すときの人間の手の構造を研究し、試行錯誤の結果、第一の発明の構成によれば、容器本体を把持し、容器本体からキャップを外して塗布具を取り出し、化粧を行い、再びキャップを容器本体に嵌める工程において、使用者が効果的かつ快適に使用できることを見出した。  
【００１０】
第二の発明は、第一の発明の構成において、前記第一キャップの長さＬ４の前記容器本体の長さＬ１に対する比率α１（Ｌ４／Ｌ１）は、０．２以上０．３以下であり、
前記第二キャップの長さＬ２の前記容器本体の長さＬ１に対する比率α２（Ｌ２／Ｌ１）は、０．２以上０．３以下であり、前記容器本体の長さＬ３の前記容器本体の長さＬ１に対する比率α３（Ｌ３／Ｌ１）は、０．４以上０．６以下であり、長さＬ４と長さＬ２を合わせた長さ（Ｌ４＋Ｌ２）は、長さＬ３以上である化粧品容器である。
【００１１】
本発明の発明者は、人間の手の指の長さとの関係で、長さＬ１、Ｌ２、Ｌ３及びＬ４が、上記の関係にあるときに、使用者が効果的に、第一キャップ及び第二キャップの着脱操作をすることができることを見出した。
【００１２】
第三の発明は、第一の発明又は第二の発明のいずれかの構成において、前記第二キャップにおける最大直径を直径φ１、前記第一キャップにおける最大直径を直径φ２、前記容器本体と前記第一キャップの接続部における直径を直径φ３、前記容器本体と前記第二キャップの接続部における直径を直径φ４とすると、前記直径φ２の前記直径φ１に対する比率β１（φ２／φ１）は、０．６０以上０．７５以下であり、前記直径φ３の前記直径φ１に対する比率β２（φ３／φ１）は、０．５５以上０．７０以下であり、前記直径φ４の前記直径φ１に対する比率β３（φ４／φ１）は、０．６５以上０．８５以下であり、前記直径φ３の前記直径φ２に対する比率β４（φ３／φ２）は、０．８５以上０．９７以下である、化粧品容器である。
【００１３】
本発明の発明者は、人間の手及び指の構造との関係で、直径φ１、φ２、φ３及びφ４が、上記の関係にあるときに、使用者が、一層効果的に、第一キャップ及び第二キャップの着脱操作をすることができることを見出した。
【発明の効果】
【００１４】
本発明にかかる化粧品容器によれば、容器本体を把持し、容器本体からキャップを外して塗布具を取り出し、化粧を行い、再びキャップを容器本体に嵌める工程において、使用者が効果的かつ快適に使用できる。
【図面の簡単な説明】
【００１５】
【図１】本発明の一実施形態にかかる化粧品容器の概略全体図である。
【図２】化粧品容器を示す平面図である。
【図３】化粧品容器を示す底面図である。
【図４】化粧品容器の分解図である。
【図５】化粧品容器を示す全体図である。
【図６】化粧品容器の使用方法の一例を示す図である。
【図７】化粧品容器から塗布具を取り出した状態を示す図である。
【図８】化粧品容器の使用方法の一例を示す図である。
【図９】化粧品容器から仕上げ具を取り出した状態を示す図である。
【図１０】仕上げ具を使用可能状態にした状態を示す図である。
【図１１】レフィル部を分離した状態を示す概略図である。
【発明を実施するための形態】
【００１６】
以下、図面に基づき本発明の好適な実施形態を説明する。
【００１７】
図１、図２、図３、図４及び図５に示すように、化粧品容器１（以下、「容器１」という。）の全体形状は、両端近傍の直径が中央部の直径よりも大きい略円柱形状である。そして、一方の端部近傍の最大直径が、他方の端部近傍の最大直径よりも大きい。容器１は、液体ファンデーションなどの化粧品を格納する略円筒形状の容器本体５０と、第一キャップ１０及び第二キャップ１００とで構成される。
【００１８】
図４に示すように、第一キャップ１０は、キャップ本体１２、軸部１４及び塗布具１６で構成される。キャップ本体１２の開口端部近傍には螺子（図示せず）が形成されており、容器本体５０の第一の端部５４ａ（図４参照）に形成された螺子部５２と螺合し、着脱自在に係合するようになっている。第一キャップ１０の閉塞端部１０ｂ（図５参照）近傍は、略半球状に形成されている。
【００１９】
第二キャップ１００の開口端部近傍内側には容器本体５０の凸部５６ａ（図４参照）と係合する環状凹部（図示せず）が形成されており、容器本体５０と着脱自在に係合するようになっている。第二キャップ１００の閉塞端部１００ｂ（図５参照）近傍は、略半球状に形成されている。
【００２０】
図４に示すように、容器本体５０は、螺子部５２、胴体部５４、仕上げ具部５６で構成される。螺子部５２は、胴体部５４の一方の端部（第一の端部）５４ａに形成されている。螺子部５２の端部は開口しており、第一キャップ１０の軸部１４及び塗布具１６を胴体部５４に格納できるようになっている。仕上げ具部５６は、基部５６ｂ、基部５６を取り巻くよう環状に形成された凸部５６ａ、上下方向（図４の矢印Ｘ方向）に摺動するシリンダ５６ｃ、及び、仕上げ具の一例としてのブラシ５６ｄで構成される。ブラシ５６ｄは、複数の毛で構成されている。
【００２１】
第一キャップ１０の長さＬ４の容器１の長さＬ１に対する比率α１（Ｌ４／Ｌ１）は、０．２以上０．３以下である。第二キャップ１００の長さＬ２の容器１の長さＬ１に対する比率α２（Ｌ２／Ｌ１）は、０．２以上０．３以下である。容器本体５０の長さＬ３の容器１の長さＬ１に対する比率α３（Ｌ３／Ｌ１）は、０．４以上０．６以下である。そして、長さＬ４と長さＬ２を合わせた長さ（Ｌ４＋Ｌ２）は、長さＬ３以上である。本実施形態において、Ｌ１は１３１ｍｍ（ミリメートル）、Ｌ２は３６ｍｍ、Ｌ３は６１ｍｍ、Ｌ４は３４ｍｍである。比率α１（Ｌ４／Ｌ１）は０．２６、比率α２（Ｌ２／Ｌ１）は０．２７、比率α３（Ｌ３／Ｌ１）は０．４７である。
【００２２】
図５に示すように、第一キャップ１０の直径は、容器本体５０との接続部分４０から第一キャップ１０の閉塞端部１０ｂに向かって拡径し、接続部分４０と閉塞端部１０ｂの間の位置１０ａにおいて、最大の直径φ２となるように形成されている。
【００２３】
第二キャップ１００の直径は、容器本体５０との接続部分６０から第二キャップ１００の閉塞端部１００ｂに向かって拡径し、接続部分６０と閉塞端部１００ｂの間の位置１００ａにおいて、最大の直径φ１となるように形成されている。直径φ１は、容器１全体における最大直径でもある。
【００２４】
容器本体５０と第一キャップ１０の接続部４０における直径を直径φ３、容器本体５０と第二キャップ１００の接続部６０における直径を直径φ４とする。直径φ２の直径φ１に対する比率β１（φ２／φ１）は、０．６０以上０．７５以下であり、より望ましくは、
０．６５以上０．７０以下である。直径φ３の直径φ１に対する比率β２（φ３／φ１）は、０．５５以上０．７０以下であり、より望ましくは、０．５７以上０．６５以下である。直径φ４の直径φ１に対する比率β３（φ４／φ１）は、０．６５以上０．８５以下である。直径φ３の直径φ２に対する比率β４（φ３／φ２）は、０．８５以上０．９７以下であり、より望ましくは、０．８７以上０．９５以下である。本実施形態において、直径φ１は２２ｍｍ（ミリメートル）、直径φ２は１５ｍｍ、直径φ３は１４ｍｍ、直径φ４は１５ｍｍである。比率β１は０．６８、比率β２は０．６３、比率β３は０．６８、比率β４は０．９３である。
【００２５】
本発明の発明者は、ファンデーションを使用した化粧は、ファンデーションの塗布をする工程と、仕上げをする工程でなることに着目し、塗布と仕上げの双方を効果的に行うことができる化粧品容器の構造を研究し、上述の構造が好適であることを見出した。このことを図６、図７、図８及び図９を参照して説明する。
【００２６】
第一キャップ１０を容器本体５０から外して、ファンデーションが付された塗布具１６を取り出すときには、例えば、図６に示すように、左手２０２の親指と人差し指で接続部６０近傍を把持し、右手２０４の親指と人差し指で第一キャップ１０を把持し、第一キャップ１０と容器本体５０を相対的に回転させる。これにより、キャップ１０と容器本体５０の螺合が解除され、図７に示すように、塗布具１６が使用可能な状態になる。
【００２７】
第二キャップ１００を容器本体５０から外して、容器本体５０に配置されたブラシ５６ｄを露出させるときには、例えば、図８に示すように、左手２０２の親指と人差し指で第二キャップ１００を把持し、右手２０４の親指と人差し指で接続部４０の近傍を把持し、第二キャップ１００を容器本体５０から引き抜く。これにより、第二キャップ１００と容器本体５０の係合が解除され、図９に示すように、ブラシ５６ｄが露出する。そして、シリンダ５６ｃを矢印Ｘ１方向に押し下げると、図１０に示すように、ブラシ５６ｄが使用可能な状態になる。シリンダ５６ｃは、第二キャップ１００を容器本体５０に係合させるときに、複数の毛で構成されるブラシ５６ｄの毛をまとめるための構成であり、ブラシ５６ｄを傷つけることなく、第二キャップ１００を容器本体５０に係合させる機能を有する。
【００２８】
本発明の発明者は、人間工学の観点で、人間の手の自然な状態は、平坦な状態ではなく、手の平の方向を中心とする略半球状になっていることに着目し、そのような手の構造に適合する容器１の構造を研究した。本発明の発明者は、自然な状態において、親指と人差し指の間に形成される空間の形状が、指先方向に向かって縮径する略円錐形状であることに着目し、容器１が上述の構造であるときに、人間の手の自然な状態において、効果的かつ快適に、容器１から第一キャップ１０や第二キャップ１００を取り外したり、取り付けたりすることができることを見出した。第二キャップ１００の最大直径φ１と接続部６０における直径φ４が、上述の数値範囲であることによって、左手２０２の親指と人差し指が自然な状態に近い状態において、第二キャップ１００の曲面にひっかかり、第二キャップ１００を把持することができる。第一キャップ１０と右手との関係についても、ほぼ同様である。第二キャップ１００が閉塞端部１００ｂから接続部６０方向に縮径するのと同様に、親指と人差し指とで自然に形成される空間も縮径していくから、使用者の指は、手の形状について特段の意識を要することなく、第二キャップ１００にひっかかり、第二キャップ１００を把持することができる。比率β４（φ３／φ２）は比率β３（φ４／φ１）よりも大きく、直径φ２は直径φ１よりも小さい。これは、第二キャップ１００を容器本体５０から外すときには、容器本体５０に配置されたブラシ５６ｄが露出するだけであるのに対して、第一キャップ１０を容器本体５０から外すと、ファンデーションが付着した塗布具１６が取り出さるから、使用者により慎重な動作を要求するような構造にするのが好ましいという着眼による。すなわち、塗布具１６を取り出すときには、ブラシ５６ｄを露出させるときよりも、慎重な操作が要求されるのであるが、比率β４（φ３／φ２）が比率β３（φ４／φ１）よりも大きく、直径φ２が直径φ１よりも小さいことによって、使用者をして、塗布具１６を取り出すときに、自然に神経を集中させ、慎重に動作させるようになっている。
【００２９】
図１１に示すように、容器本体５０の胴体部５４と仕上げ具部５６は分離する。すなわち、胴体部５４の端部に形成された螺子部５４ｂと仕上げ具部５６側に形成された螺子（図示せず）が螺合し、着脱可能になっている。なお、胴体部５４において、螺子部５４ｂが形成された端部は閉塞端部である。そして、胴体部５４と第一キャップ１０は、胴体部５４に格納されたファンデーションが消費尽くされた時には、交換可能になっている。すなわち、使用者は、ファンデーションを消費尽くした場合に、容器１全体を新たに購入する必要はなく、胴体部５４と第一キャップ１０で構成されるレフィル部材を購入すれば足りる。
【００３０】
なお、本発明の化粧品容器は、上記実施形態に限らず、本発明の要旨を逸脱しない範囲内において種々変更を加えることができる。
【符号の説明】
【００３１】
１    化粧品容器
１０  第一キャップ
１２  キャップ本体
１４  軸部
１６  塗布具
５０  容器本体
５２  螺子部
５４  胴体部
５６  仕上げ具部
１００  第二キャップ
【国際調査報告】
2017179084.tif 000014
2017179084.tif 000015
2017179084.tif 000016
2017179084.tif 000017